(57)【要約】【課題】容器の外側も紙端面が出ないようにした耐水性に優れた紙容器の提供。【解決手段】紙を基材とし最内層と最外層に熱可塑性合成樹脂層を備えた積層材料からなる矩形状のブランクを予め設けた罫線から折り曲げて形成された四枚の側板とこの側板の一枚に連設されると共に隣接する側板に接続する糊代片を有する四角柱状の胴部と、胴部の一方の開口端部に形成された切妻屋根状に折り込み閉鎖されたゲーブルトップ型の頂部と、胴部の他方の開口端部に形成された底部とからなるゲーブルトップ型紙容器（１０）であって、胴部をシールするサイドシール部（Ｓ）、頂部をシールするトップシール部（Ｔ）、底部をシールするボトムシール部（Ｂ）ともに、紙の端面部分が熱可塑性樹脂層により保護されている。【選択図】図１
2004250044.tif 000002
【特許請求の範囲】
【請求項１】
紙を基材とし、少なくとも最内層と最外層に熱可塑性合成樹脂層を備えた積層材料からなる矩形状又は正方形状のブランクシートを予め設けた罫線から折り曲げて形成された、四枚の側板とこの側板の一枚に連設されると共に隣接する側板に接続する糊代片とを有する四角柱状の胴部と、この胴部の一方の開口端部に形成された切り妻屋根状に折り込み閉鎖されたゲーブルトップ型の頂部と、胴部の他方の開口端部に形成された底部とからなる、ゲーブルトップ型紙容器であって、
前記胴部を密封シールするサイドシール部、頂部を密封シールするトップシール部、底部を密封シールするボトムシール部ともに、紙の端面部分が熱可塑性合成樹脂層により保護されていることを特徴とする、耐水性液体用紙容器。
【請求項２】
前記サイドシール部、トップシール部及びボトムシール部の紙端面保護手段が、スカイブヘミング加工方式によることを特徴とする、請求項１記載の耐水性液体用紙容器。
【請求項３】
前記トップシール部及びボトムシール部の紙端面保護手段が、熱可塑性合成樹脂性テープを被覆するテープ貼り方式によることを特徴とする、請求項１又は２記載の耐水性液体用紙容器。
【発明の詳細な説明】
【０００１】
【発明の属する技術分野】
本発明は、耐水性に優れた液体用紙容器に関し、特には、周縁に紙端面保護が施された積層材料を用いて作製した耐水性液体用紙容器に関する。
【０００２】
【従来の技術】
紙を基材とし、内層及び外層をヒートシール性に優れたポリオレフィン系樹脂とする、例えば、〔容器外側〕ポリエチレン／板紙／エチレン・メタアクリル酸共重合体／アルミニウム蒸着ポリエチレンテレフタレートフィルム／ポリエチレン〔容器内側〕構成のような積層材料からなる紙容器が、ジュース、清酒、液体洗剤等を充填する容器として広く使用されている。
【０００３】
そして、清酒等浸透性が強く、流通期間の長い内容物については、容器内面に紙端面が露出していると、そこから内容物が紙基材層に浸透し、容器の強度低下等をもたらすため、あらかじめ積層材料胴部接合部分の一方を先端から所定の長さだけ、積層材料の厚みの半分を、紙層から外側を削除（スカイブ）し、削り取った残りの部分を削除面が内側となるように折り返し（ヘミング）、紙端面の保護を行っている。以下この加工をスカイブヘミング加工と呼ぶ。
【０００４】
スカイブヘミング加工された積層材料の胴部の接合は、折り返された内層表面部分から、外層表面部分にわたってガスバーナー等によるフレーム処理を行い、さらにこれに対応する他方端部の内層表面のも同様のフレーム処理を行って、それぞれのポリエチレン等の熱可塑性合成樹脂表面を酸化して極性基を導入してから両者を圧着して接合する方法が一般的である。
【０００５】
しかしながら、スカイブヘミング加工をして紙端面の保護を行っているのは、内容物の接液面のみで、外界と接するトップシール部、ボトムシール部やサイドシール部の端縁は紙端面の保護は行われていない（図７（ａ）、（ｂ）、（ｃ））。
このため、通常の使用方法においては問題にならないが、シャンプーやリンス等の内容物を入れた該紙容器をお風呂場など比較的高温多湿の場所で使用する場合には、紙端面から水分が浸透して容器の強度低下等をもたらすという問題が発生することが考えられる。
【０００６】
【発明が解決しようとする課題】
本発明は、紙を基材とし、内層及び外層をヒートシール性に優れたポリオレフィン系樹脂とする積層材料からなる紙容器に関する以上のような問題点を解決するためになされたもので、容器の外側も紙端面が出ないようにした耐水性に優れた液体用紙容器を提供することを課題とする。
【０００７】
【課題を解決するための手段】
本発明の請求項１の発明は、紙を基材とし、少なくとも最内層と最外層に熱可塑性合成樹脂層を備えた積層材料からなる矩形状又は正方形状のブランクシートを予め設けた罫線から折り曲げて形成された、四枚の側板とこの側板の一枚に連設されると共に隣接する側板に接続する糊代片とを有する四角柱状の胴部と、この胴部の一方の開口端部に形成された切り妻屋根状に折り込み閉鎖されたゲーブルトップ型の頂部と、胴部の他方の開口端部に形成された底部とからなる、ゲーブルトップ型紙容器であって、前記胴部を密封シールするサイドシール部、頂部を密封シールするトップシール部、底部を密封シールするボトムシール部ともに、紙の端面部分が熱可塑性合成樹脂層により保護されていることを特徴とする、耐水性液体用紙容器である。
【０００８】
このように請求項１記載の発明によれば、胴部を密封シールするサイドシール部、頂部を密封シールするトップシール部、底部を密封シールするボトムシール部ともに、紙の端面部分が熱可塑性合成樹脂層により保護されているので、外の水分や湿気が紙の端面を通して容器の内部に入り込むことがない。
【０００９】
また、請求項２の発明は、請求項１の発明において、前記サイドシール部、トップシール部及びボトムシール部の紙端面保護手段が、スカイブヘミング加工方式によることを特徴とする、耐水性液体用紙容器である。
【００１０】
このように請求項２記載の発明によれば、サイドシール部、トップシール部及びボトムシール部の紙端面保護手段が、スカイブヘミング加工方式によるので、新たな材料、器具を必要とせずに紙端面保護を行うことができる。
【００１１】
また、請求項３の発明は、請求項１又は２記載の発明において、前記トップシール部及びボトムシール部の紙端面保護手段が、熱可塑性合成樹脂性テープを被覆するテープ貼り方式によることを特徴とする、耐水性液体用紙容器である。
【００１２】
このように請求項３記載の発明によれば、サイドシール部の紙端面保護手段としてスカイブヘミング加工方式を採用し、トップシール部及びボトムシール部の紙端面保護手段として熱可塑性合成樹脂性テープを被覆するテープ貼り方式を採用しているので、積層材料の隅角の紙端面処理も完全に行われ、より完全な紙端面処理を行うことができる。
【００１３】
【発明の実施の形態】
本発明の液体用紙容器を一実施形態に基づいて以下に詳細に説明する。
図５（ａ）は本発明の液体用紙容器の展開説明図で、水平方向に五つの長方形の裏面パネル（１１）、左側面パネル（１２）、正面パネル（１３）、右側面パネル（１４）、糊代パネル（１５）が四本の垂直な折り目線（ａ）、（ｂ）、（ｃ）、（ｄ）を介して順次並列に連設されている。なお，裏面パネル（１１）は従来より８〜１０ｍｍ程度長く作製してある。
【００１４】
さらにこの五つのパネルには、垂直方向に三本の水平な折り目線（ｅ）、（ｆ）、（ｇ）を介して上貼着部（１６）、頂部（１７）、壁部（１８）、底部（１９）が上から順次連設され、さらに左右の側面パネルと正面パネルの底部には、水平な折り目線（ｈ）と二本の垂直な折り目線（ｉ）、（ｊ）を介して下貼着部（２０）を設け、左右の側面パネルの上貼着部には、それぞれ中央に垂直な折り目線（ｋ）、（ｌ）を設け、左右の側面パネルの頂部には、折り込みのためにそれぞれ頂部下端にある左右の角を結ぶ稜線を底辺とする二等辺三角形状に上貼着部の垂直な折り目線（ｋ）、（ｌ）の下端と交わる斜めな二本の折り目線（ｍ）と（ｎ）、（ｏ）と（ｐ）が設けられ、さらに、左右の側面パネルの底部には、それぞれ底部上端にある左右の角を結ぶ稜線を底辺とする二等辺三角形状に下貼着部の垂直な折り目線（ｉ）、（ｊ）の上端と交わる斜めな二本の折り目線（ｑ）と（ｒ）、（ｓ）と（ｔ）が設けらたものである。なお、上貼着部（１６）及び底部（１９）はスカイブヘミング加工を円滑に行うため、凹凸やでっぱり、傾斜を設けず一直線上に並ぶように作製してある。また、従来より８〜１０ｍｍ程度長く作製してある。
【００１５】
そして、このようなブランクシートの先ず裏面パネル（１１）側の端縁を先端から所定の長さで、容器にした際内側となる面を積層シートの厚みの半分を削除し、削除せずに残った部分を削除面が内側になるように折り返し、第１折り返し部（１１１）を形成させる。
【００１６】
ついで、もう一方の端部である糊代パネル（１５）側の端縁を先端から所定の長さで、容器にした際外側となる面を積層シートの厚みの半分を削除し、削除せずに残った部分を削除面が内側になるように折り返し、第２折り返し部（１５１）を形成させる（図５（ｂ）参照）。
【００１７】
つぎに、このブランクシートを９０°回転させて、ブランクシートの上貼着部（１６）側の端縁を先端から所定の長さで、容器にした際内側となる面を積層シートの厚みの半分を削除し、削除せずに残った部分を削除面が内側になるように折り返し、上貼着部折り返し部（１６１）を形成させる。
【００１８】
同様にブランクシートの底部（１９）側の端縁を先端から所定の長さで、容器にした際内側となる面を積層シートの厚みの半分を削除し、削除せずに残った部分を削除面が内側になるように折り返し、底部折り返し部（１９１）を形成させる（図５（ｃ）参照）。
【００１９】
ブランクシートの隅角部分はスカイブヘミング加工が重なるため、上貼着部（１６）側の端縁と底部（１９）の端縁の紙端面を覆う方法としては、熱融着性を有するテープ、例えば、ポリエチレンテープ（６）で被覆するテープ貼り方式を採用しても良い（図６参照）。
【００２０】
ブランクシートに使用する積層材料（１）の材質構成は、従来の液体紙容器用の材質がそのまま使用可能なため、紙（３）を基材とし少なくとも最内層（４）、最外層（２）に熱可塑性合成樹脂層を具備した積層材料であれば特に限定されない（図５（ｂ）参照）。
層構成の一例を挙げれば、〔容器外側〕ポリエチレン／紙／エチレン・メタアクリル酸共重合体／アルミニウム蒸着ポリエチレンテレフタレートフィルム／ポリエチレン〔容器内側〕である。
【００２１】
つぎに、このようにして四辺の紙端面が熱可塑性合成樹脂層により被覆されたブランクシートから紙容器を作製する方法について説明する。
先ず、裏面パネル（１１）の端部の第１折り返し部（１１１）の内側面と、糊代パネル（１５）の端部の第２折り返し部（１５１）の外側面をフレーム処理して加熱すると共に、正面パネル（１３）と右側面パネル（１４）、裏面パネル（１１）と左側面パネル（１２）をそれぞれ垂直な折り目線（ｃ）、（ａ）から折り曲げ、裏面パネル（１１）の内側面が糊代パネル（１５）の外側面に重なるように、裏面パネル（１１）の第１折り返し部（１１１）が糊代パネル（１５）の第２折り返し部（１５１）の上側になるように重ねると、熱融着により裏面パネルの端部と糊代パネルの端部とは接合され（サイドシール部（Ｓ））、積層材料（１）は筒状に成形される。
サイドシール部（Ｓ）の紙端面は、第１折り返し部により内部に隠れたかたちで、熱可塑性合成樹脂層が外に出ているので耐水性がある（図２参照）。
【００２２】
なお、これら一連のスカイブヘミング加工とフレーム処理、筒状加工は、専用の加工機で容易に行うことができる。
【００２３】
作製した筒状物を一般的に用いられている充填シール機を用いてボトムシール部（Ｂ）を成形後、トップシール部（Ｔ）を形成して本発明の耐水性を有する液体用紙容器とした。
ボトムシール部（Ｂ）、トップシール部（Ｔ）共に、紙端面は底部折り返し部や上貼着部折り返し部により内部に隠れたかたちで、熱可塑性合成樹脂層が外に出ているので耐水性がある（図３、図４参照）。
【００２４】
【発明の効果】
上記のように、本発明の耐水性液体用紙容器は、紙の端面が容器の外面に表れていないの構造を有しているので、紙の端面からの吸水がなく耐水性の有る紙容器が得られる。
【図面の簡単な説明】
【図１】本発明の耐水性液体用紙容器の一実施例を示す、斜視説明図である。
【図２】図１のＡ部拡大模式説明図である。
【図３】図１のＢ部拡大模式説明図である。
【図４】図１のＣ部拡大模式説明図である。
【図５】本発明の耐水性液体用紙容器に使用する積層シートの一実施例を示す、（ａ）は展開説明図であり、（ｂ）は（ａ）のＸ−Ｘ’線断面説明図であり、（ｃ）は（ａ）のＹ−Ｙ’線断面説明図である。
【図６】上貼着部と底部の紙端面をテープ貼り方式で被覆した状態を示す、模式説明図である。
【図７】従来の液体用紙容器の、（ａ）はサイドシール部の一例を示す拡大模式説明図であり、（ｂ）はトップシール部の一例を示す拡大模式説明図であり、（ｃ）はボトムシール部の一例を示す拡大模式説明図である。
【符号の説明】
１‥‥積層材料
２‥‥最外層
３‥‥紙
４‥‥最内層
６‥‥ポリエチレンテープ
１０‥‥液体用紙容器
１１‥‥裏面パネル
１２‥‥左側面パネル
１３‥‥正面パネル
１４‥‥右側面パネル
１５‥‥糊代パネル
１６‥‥上貼着部
１７‥‥頂部
１８‥‥壁部
１９‥‥底部
２０‥‥下貼着部
１１１‥‥第１折り返し部
１５１‥‥第２折り返し部
１６１‥‥上貼着部折り返し部
１９１‥‥底部折り返し部
ａ‥‥垂直な折り目線
ｂ‥‥垂直な折り目線
ｃ‥‥垂直な折り目線
ｄ‥‥垂直な折り目線
ｅ‥‥水平な折り目線
ｆ‥‥水平な折り目線
ｇ‥‥水平な折り目線
ｈ‥‥水平な折り目線
ｉ‥‥垂直な折り目線
ｊ‥‥垂直な折り目線
ｋ‥‥垂直な折り目線
ｌ‥‥垂直な折り目線
ｍ‥‥斜めな折り目線
ｎ‥‥斜めな折り目線
ｏ‥‥斜めな折り目線
ｐ‥‥斜めな折り目線
ｑ‥‥斜めな折り目線
ｒ‥‥斜めな折り目線
ｓ‥‥斜めな折り目線
ｔ‥‥斜めな折り目線
Ｓ‥‥サイドシール部
Ｔ‥‥トップシール部
Ｂ‥‥ボトムシール部
【図１】
2004250044.tif 000003
【図２】
2004250044.tif 000004
【図３】
2004250044.tif 000005
【図４】
2004250044.tif 000006
【図５】
2004250044.tif 000007
【図６】
2004250044.tif 000008
【図７】
2004250044.tif 000009